(57)【特許請求の範囲】
【請求項１】
多機能周辺機器の指スロット内に収容されるユーザの指をスキャンして、生物測定学的画像を得るステップであって、前記指スロットが前記多機能周辺機器のスキャナ部分のヒンジ式蓋に画定され、発泡ゴムからなる側板で充填されている、ステップと、
前記生物測定学的画像を生物測定学的鍵と比較するステップと、
前記生物測定学的画像と前記生物測定学的鍵との照合に基づいて、前記多機能周辺機器のユーザを認証するステップと
を含む方法。
【請求項２】
前記生物測定学的鍵の生成者が管理するファイルシステムに、各生物測定学的鍵の保存を分配するステップをさらに含む請求項１に記載の方法。
【請求項３】
前記生物測定学的鍵の検索を行うために、ユーザ名の入力を前記ユーザに促すステップをさらに含む請求項１に記載の方法。
【請求項４】
多機能周辺機器と、
前記多機能周辺機器のスキャナ部分のヒンジ式蓋に画定され、発泡ゴムからなる側板で充填される指スロットと、
前記指スロット内のユーザの指をスキャンすることにより、生物測定学的画像を取得するように構成されたデータ収集モジュールと、
前記生物測定学的画像を生物測定学的鍵と比較するように構成されたデータ評価モジュールと、
前記生物測定学的画像と前記生物測定学的鍵との照合に基づいて、前記多機能周辺機器へのアクセスを提供するように構成された認証モジュールと
を備えたシステム。
【請求項５】
前記生物測定学的鍵の検索を分配された場所から行うために、ユーザ名を入力するようにユーザに促すデータ収集モジュールをさらに備えた請求項４に記載のシステム。
【請求項６】
前記多機能周辺機器の権限のあるユーザに割当てられたそれぞれのワークステーションに、前記多機能周辺機器の権限のあるユーザに関する生物測定学的鍵の記憶を分配するように構成された分散生物測定学的鍵記憶域をさらに備えた請求項４に記載のシステム。
【請求項７】
生物測定学的鍵の記憶に基礎を置いたサーバをさらに備え、前記生物測定学的鍵を記憶するサーバが前記多機能周辺機器と通信する請求項４に記載のシステム。
【請求項８】
生物測定学的鍵の記憶に基礎を置いた多機能周辺機器をさらに備えた請求項４に記載のシステム。
【請求項９】
前記ユーザの指の検出に応答して、前記多機能周辺機器の前記スキャナ部分を起動する、前記指スロットに隣接するセンサスイッチをさらに備える請求項４に記載のシステム。
【請求項１０】
１つ以上のプロセッサによって実行される場合に、
多機能周辺機器の指スロット内に収容されるユーザの指をスキャンすることによって生物測定学的画像を取得するステップであって、前記指スロットが前記多機能周辺機器のスキャナ部分のヒンジ式蓋に画定され、発泡ゴムからなる側板で充填されている、ステップと、
前記生物測定学的画像を生物測定学的鍵と比較するステップと、
前記生物測定学的画像と前記生物測定学的鍵との照合に基づいて、前記多機能周辺機器の前記ユーザを認証するステップと
を前記１つ以上のプロセッサに行わせるプロセッサ可読命令を有するプロセッサ可読媒体。
【発明の詳細な説明】
【０００１】
【発明の属する技術分野】
本発明はコンピュータ周辺機器のユーザの認証を生物測定学的に実行することに関し、とりわけ、多機能周辺機器のスキャン機能を利用して指紋照合などを行うによりユーザを認証することに関する。
【０００２】
【従来の技術】
多機能周辺機器（複合機、multifunction peripheral（ＭＦＰ））は、１つの装置内に、コンピュータ及び周辺機器機能に対する多くの支援を行う。多くのＭＦＰに含まれる基本的な機能には、ファクス、スキャン、プリント及びコピーがある。多数のＭＦＰの導入日は費用がかかること、またＭＦＰは概して大きな負荷率に耐えることにより、多くのユーザがネットワークを介して同じＭＦＰにアクセスすることが一般的である。従って、大抵のユーザにとって、ユーザのワークステーションに直接接続される場合とは対照的に、ＭＦＰは幾分か遠隔地にある。
【０００３】
あるＭＦＰに追加される追加機能には、電子メールの送受信、ファイル転送及び「デジタル送信（digital send）」がある。デジタル送信は、ファイル転送プロトコルを使用するかまたは電子メールメッセージに添付することにより送信するために、ドキュメントをスキャンする動作を含むことができる。従って、ＭＦＰによって処理されるドキュメントは、スキャンされ、コピーされ、ファクスされ、あるいは、ファイル転送プログラムにより、ユーザのコンピュータかまたは第２のコンピュータの共有ディレクトリに送信されるかもしれない。これらのまた他の動作を行う、ユーザはネットワークにアクセスすることができる。従って、ネットワーク管理者は、作業者が便利に使用できるという利益とネットワークセキュリティの侵害の危険とのバランスを取らなければならない。
【０００４】
【発明が解決しようとする課題】
従来、セキュリティの高いネットワークへのアクセスは、ワークステーションでユーザ名とパスワードとを入力することによって行われている。しかしながら、この方法は、ＭＦＰに適用する場合、キーボード入力のための資源が貧弱であることと、このような装置がおかれている場所が概して公共の場所であることにより、不都合なことがありえる。その結果、多くのＭＦＰが、ネットワークへ無許可でクセスできる場所となった。高度なＭＦＰを使用することにより、電子メール、ファイル転送及びファクス機能を含む権限を得ることができる。。適当な許可なしにファイルがコピー、変更または消去され、無許可のファックス送信により長距離料金が発生し、無許可プリントの費用を請求できなくなってしい、スパム（spam）、つまり宣伝などの迷惑メールの大量送信等により電子メールが悪用され、他のネットワーク障害がもたらされるかもしれない。
【０００５】
この問題は、ＭＦＰがますます機能的になるにつれて、一層深刻になっていくだろう。ＭＦＰの機能が増大するに従い、ＭＦＰのユーザに対し、より多大な利益と新規なネットワークアクセスがもたらされるが、権限のないユーザの無許可使用によりネットワークリソースへもたらされる危険が、ネットワーク管理者にとってさらに大きい難題を課していくだろう。
【０００６】
【課題を解決するための手段】
多機能周辺機器（複合機、multifunction peripheral（ＭＦＰ））ユーザを生物測定学的に認証するシステム及び方法を開示する。本システム及び方法の一実施形態では、ＭＦＰは、そのスキャナ部分中の画像窓に隣接する指穴（指溝、指挿入口、finger slot）が画定されたスキャナを含む。指穴内に指を配置することにより、スキャナによって、ユーザの指の生物測定学的画像を作成することができる。生物測定学的画像が真正のものであるかどうか、生物測定学的鍵情報に突き合わせて評価される。生物測定学的画像と鍵とが一致する（もちろん、ここで言う一致とは両データ間の完全な一致に限られるのではなく、生物測定学的鍵情報を提供した人間とＭＦＰが生物測定学的画像画像の取得元の人間が同一人であることが十分に高い精度で検証できる程度に両データが近似していることも含む）と、ユーザは認証される。
【０００７】
全図面を通して、同様な特徴や要素を参照するために、同じ番号を使用する。
【０００８】
【発明の実施の形態】
ＭＦＰユーザを生物測定学的に認証するシステム及び方法を開示する。ＭＦＰは、以前は複数のコンピュータ周辺機器内に含まれていた機能を提供する。従って、ＭＦＰのユーザには、それが接続されるネットワークへの新規なアクセスが提供される。このような権限が悪用されるのを防止するために、ユーザには、その親指または人差し指をＭＦＰのスキャナ部分のヒンジ式カバーに画定される指穴に挿入することが要求される。そして、ユーザの指紋をスキャンしデジタル化することにより、生物測定学的画像が形成される。実施形態によっては、ユーザ名を入力するようにユーザに要求することもある。システムは、次に、生物測定学的画像と照合するために少なくとも１つの生物測定学的鍵を検索する。この鍵は、ユーザ名が得られる場合にはそれを使って探し出すことができる。照合結果が一致を示す場合、自分のワークステーションを介してネットワークにログオンした場合と同様の許可がユーザに与える等、ポリシーに従ったやり方でＭＦＰ及びネットワークへのアクセスがユーザに許可される。従って、ネットワークセキュリティが維持される一方で、ユーザはＭＦＰへのアクセスすることができる利益を享受できる。
【０００９】
図１は、多機能周辺機器（ＭＦＰ）１０２と、プリントサーバ、ファイルサーバ、その他のサーバ１０４または同様の管理コンピューティング装置と、クライアントあるいはワークステーション１０６を有するネットワーク環境１００を示す。ネットワーク１０８が上記装置を接続するが、このネットワーク１０８はＬＡＮ、イントラネット、インタネットまたは他のネットワークテクノロジの形態であってよい。一般に、ＭＦＰの機能には、プリント、コピー、スキャン、ファクス、電子メール及びデジタル送信機能が含まれる。電子メールは、紙文書をスキャンした画像に関連するファイルを添付物として送信する機能を含む。デジタル送信機能は、電子メール、ファイル転送プトロコルまたは他のファイル転送テクノロジを使用して、ユーザが適当な許可を得ているファイルシステムとの間でファイルを送受信する機能を含む。
【００１０】
図２は、ＭＦＰ１０２の平面図を示す。ＭＦＰのスキャナ部分のヒンジ式蓋２０２に指穴２００が画定されている。指穴を設けたことにより、ユーザは、親指かまたは人差し指を、ＭＦＰ内の、スキャナのガラス画像窓に指先が接する位置に挿入し、そこで指先を容易にスキャンすることができる。
【００１１】
図３は、画像窓３０２上にスキャンされる用紙を配置することができるようにフラットベッドスキャナの蓋を持ち上げている、ＭＦＰ１０２の側面立面図を示す。指穴２００は、発泡ゴムあるいは同様の物質からなる側板３００で充填されている。側板は、ＭＦＰが従来のように文書をスキャンまたはコピーするために使用されているときに、光が指穴に入らないようにする。さらに、側板により、ユーザの指が穴に挿入されている時に光があまり指穴に入らないようになる。
【００１２】
図４は、使用中の指穴２００の断面図を示す。ユーザの人差し指４００が指穴内にある。その結果、側板３００が幾分か圧縮される。センサスイッチ４０２が、一般に光または圧力センサを使用してユーザの指を検出する。スイッチの付勢に応答して、スキャン機構４０４は、生物測定学的画像に関連する指紋データを取得する。
【００１３】
図５は、権限のあるＭＦＰユーザを生物測定学的に認証するソフトウェア構造５００を例証するブロック図を示す。生物測定学的画像は、ユーザの指がＭＦＰのスキャナ部分の画像窓を保護するカバー内に画定される指穴に挿入されている間に、そのユーザの指をスキャンするために使用される装置と通信することによって取得される。生物測定学的画像は、当該ＭＦＰについて権限のあるユーザから、間違いなくそのユーザであると検証の上で事前に取得されたデータから導出された１つまたは複数の生物測定学的鍵と照合される。生物測定学的画像が生物測定学的鍵と一致すると、ユーザは認証され、従ってＭＦＰにログオンされる。
【００１４】
データ収集モジュール５０２は、ユーザからの生物測定学的画像５０４に対応するファイルと、この生物測定学的画像と比較するための少なくとも１つの生物測定学的鍵５０６と、かならずしも必須というわけではないのだが、ユーザ名またはＩＤ５０８と、を取得する。生物測定学的画像は、図４から判るように、ユーザの指４００の指穴２００内への挿入と、スイッチ４０２の起動と、ＭＦＰ内に含まれる機構４０４による指のスキャンに応答して生成される。このプロセスが完了すると、デジタルファイルの形態の生物測定学的画像が生成される。データ収集モジュールは、この生物測定学的画像５０４が利用可能になると、それを取得する。
【００１５】
データ収集モジュール５０２は、任意に選択できる事項として、ユーザがユーザ名またはユーザの識別コード、番号類（ユーザＩＤ）５０８を入力するように要求してもよい。その要求は、ＬＣＤ画面かまたは他の利用可能な出力装置上に提示してよい。ユーザ名は、キーボードあるいは他の利用可能な入力装置を使用して入力してよい。ユーザ名があれば、適当な生物測定学的鍵を迅速に見つけることができる。
【００１６】
データ収集モジュールは１つまたは複数の生物測定学的鍵５０６を取得し、この鍵５０６に対して、生物測定学的画像が一致するか判断するように検査できる。生物測定学的鍵は、生物測定学的鍵の生成元、すなわち指紋が取得された個人が実際にＭＦＰを使用する権限があるということが確実である状況で取得された生物測定学的画像である。ユーザ名またはＩＤ５０８が入手できるなら、データ収集モジュールは、ユーザ名に対応する生物測定学的鍵を取得する。ユーザ名が入手できない場合は、データ収集モジュールは、生物測定学的画像との照合のために一連の生物測定学的鍵を取得する。
【００１７】
生物測定学的鍵は、ＭＦＰベース生物測定学的鍵データ記憶装置５１０内に格納してもよい。データ記憶モジュールは、データベースまたは管理情報ベース（management information base、ＭＩＢ）の形態で実現されてもよい。ＭＦＰがディスクドライブあるいはほかの形態の大容量媒体記憶装置を持っている場合、ＭＦＰベース生物測定学的鍵データ記憶装置を設けることで、ネットワークで生物測定学的鍵を転送することなく生物測定学的鍵への使い勝手のよいアクセスが可能となる。
【００１８】
このようにする代わりに、生物測定学的鍵は、サーバ１０４に含まれるサーバベース生物測定学的鍵データ記憶装置５１２に、あるいは各生物測定学的鍵がその鍵を生成した者に関連するかまたは生成者が使用するワークステーション１０６に格納されるという形態の、分散生物測定学的鍵データ記憶装置５１４に格納してもよい。生物測定学的鍵がサーバベース記憶装置かまたは分散記憶装置内に収容されている場合、データ収集モジュールが検索を行う結果、生物測定学的鍵はネットワーク１０８を通る。従って、サーバ１０４またはワークステーション１０６上に置かれる暗号化アプリケーション５２０、５２２と通信するために、多機能周辺機器上に置かれる暗号化アプリケーション５１６と暗号化鍵５１８を使用してもよい。暗号化アプリケーションが使用されることにより、生物測定学的鍵がネットワークを経由する際に強力な暗号化によって保護される。
【００１９】
データ評価モジュール５２４は、生物測定学的画像を１つまたは複数の生物測定学的鍵と照合する。照合の結果一致した場合、ユーザはＭＦＰを使用することの認証が与えられる。一致が見られない場合、失敗メッセージが、ＭＦＰ内のＬＣＤ画面等の出力装置に送信される。
【００２０】
生物測定学的画像が生物測定学的鍵と一致すると、認証モジュール５２６は、ユーザをＭＦＰにログオンさせる。そして、ユーザは、所与のファイルシステムに対する当該ユーザの読出し／書込み権限に背反しないＭＦＰの全機能を使用することができる。
【００２１】
図６は、権限のあるユーザがＭＦＰを使用することについての認証を得ることができる方法６００を示す。同図の各ブロックの動作は以下の通りである。
６０２：ユーザが指をＭＦＰの指穴へ挿入する
６０４：生物測定学的画像を取得する
６０６：ユーザ名を取得する
６０８：生物測定学的鍵を取得する
６１０：生物測定学的画像を生物測定学的鍵と突き合わせて評価する。一致が取れるか？（一致が取れなかったらブロック６０８へ、一致が取れたらブロック６１２へ進む）
６１２：ユーザがＭＦＰについての使用認証を得る
ブロック６０２において、ユーザは、ＭＦＰの画像窓３０２に隣接する指穴２００に指を挿入する。その結果、光遮断側板３００が幾分か圧縮される。ユーザの指がセンサスイッチ４０２を起動し、それによって生物測定学的画像の生成が開始される。
【００２２】
ブロック６０４において、データ収集モジュール５０２は、生物測定学的画像に対応するデジタル化されたファイルを取得する。
【００２３】
ブロック６０６において、必ずしも必須ではないが、データ収集モジュールは、ユーザに対してユーザ名または識別番号を入力するように促すというような実装も可能である。ユーザ名は、生物測定学的鍵の所望の検索を容易にし、生物測定学的画像と一致しない生物測定学的鍵を評価するために費やす時間を低減するために使用することができる。ユーザに対して、ＭＦＰに含まれるＬＣＤディスプレイ上に表示されるコマンドによって、あるいは同様の出力装置によって、ユーザ名を入力するように促すことができる。ユーザは、ＭＦＰの一部であるキーパッドあるいは同様の入力装置を使用することにより、ユーザ名、コードまたは他の識別データを入力することができる。セキュリティは生物測定学的データに基づいているため、ユーザ名を、ユーザの電話番号等の覚え易い公知情報とすることができる。
【００２４】
ブロック６０８において、生物測定学的鍵が取得される。一般に、生物測定学的鍵は、ユーザの親指または指紋に関するデジタル情報を含むファイルである。ブロック６０６においてユーザ名、ＩＤまたはユーザに関する他の情報が提供された場合、ユーザ名をインデクスまたは同様のディレクトリと共に使用して、正しい生物測定学的鍵を取得してもよい。ユーザ名が入手可能でない場合、生物測定学的鍵は、いかなる所望の順序で取得してもよい。
【００２５】
生物測定学的鍵がＭＦＰ内の記憶装置５１０に含まれている場合、生物測定学的鍵は、ネットワーク１０８を使用せずに容易に取得できる。生物測定学的鍵がサーバベース生物測定学的鍵データ記憶装置５１２あるは分散生物測定学的鍵データ記憶装置５１４に格納されている場合、生物測定学的鍵はネットワーク越しに取得される。必須というわけではないが、暗号化アプリケーション５１６が、サーバベース生物測定学的鍵データ記憶装置５１２あるいは分散生物測定学的鍵データ記憶装置５１４に暗号化鍵５１８を供給するようにしてもよい。サーバあるいは分散したいくつかの場所に配置された暗号化アプリケーション５２０、５２２は、生物測定学的鍵ファイルを暗号化し、それをデータ収集モジュール５０２に返信する。
【００２６】
ブロック６１０において、データ評価モジュール５２４は、生物測定学的画像を生物測定学的鍵と照合する。一致が取れた場合、ユーザはブロック６１２において認証される。一致が取れなかった場合、ブロック６０８において、他の生物測定学的鍵が取得される。
【００２７】
ブロック６１２において、ユーザは、ＭＦＰへのアクセスについての認証が得られ、適当な許可が与えられる。
【００２８】
〔結論〕
上述した技術は、ＭＦＰの機能にアクセスできるようにユーザを認証する安価な装置及び使用の方法を提供する。その結果、ユーザは、使い勝手の良い認証プロセスから利益を得る。ＭＦＰ自体によって取得された生物測定学的画像を事前に記録され確認された生物測定学的鍵と照合することにより、ユーザの識別が確認される。従って、ネットワークに接続されているリソースを使用することが許可されていない人間を排除することにより、ネットワーク上の装置が保護される。
【００２９】
〔実施態様１〕生物測定学的画像（５０４）を取得するために多機能周辺機器（１０２）の指収容領域（２００）内に収容されるユーザの指をスキャンすること（６０４）と、
前記生物測定学的画像（５０４）を生物測定学的鍵（５０６）と照合すること（６１０）と、
前記生物測定学的画像（５０４）と前記生物測定学的鍵（５０６）との一致に基づいて前記多機能周辺機器（１０２）のユーザを認証すること（６１２）と、を含む方法。
【００３０】
〔実施態様２〕各生物測定学的鍵（５０６）を記憶する手段を、前記生物測定学的鍵の生成者が管理するファイルシステム（５１４）に分散させることを特徴とする実施態様１記載の方法。
【００３１】
〔実施態様３〕前記生物測定学的鍵（５０６）の検索を行うために前記ユーザに対しユーザ名あるいはユーザを識別する情報（５０８）の入力を促すことを特徴とする実施態様１記載の方法。
【００３２】
〔実施態様４〕多機能周辺機器（１０２）と、
前記多機能周辺機器（１０２）のスキャナ部分の画像窓（３０２）に隣接する指収容領域（２００）と、
前記指収容領域（２００）内に収容されたユーザの指（４００）をスキャンすることにより生物測定学的画像（５０４）を取得するように構成されたデータ収集モジュール（５０２）と、
前記生物測定学的画像（５０４）を生物測定学的鍵（５０６）と照合するように構成されたデータ評価モジュール（５２４）と、
前記生物測定学的画像（５０４）と前記生物測定学的鍵（５０６）との一致に基づいて前記多機能周辺機器（１０２）へのアクセスを提供するように構成された認証モジュール（５２６）と、
を設けたシステム。
【００３３】
〔実施態様５〕分散された場所（５１４）からの前記生物測定学的鍵（５０６）の検索を行うためにユーザに対しユーザ名あるいはユーザを識別する情報（５０８）を入力するように促すデータ収集モジュール（５０２）を設けたことを特徴とする実施態様４記載のシステム。
【００３４】
〔実施態様６〕前記多機能周辺機器（１０２）についての権限のあるユーザにそれぞれ割当てられたワークステーション（１０６）に、前記多機能周辺機器（１０２）についての権限のあるユーザに関連する生物測定学的鍵（５０６）を記憶する手段を分散するように構成された分散生物測定学的鍵記憶域（５１４）を設けたことを特徴とする実施態様４記載のシステム。
【００３５】
〔実施態様７〕生物測定学的鍵（５０６）のためのサーバベースの記憶手段（５１２）を設け、前記生物測定学的鍵（５０６）が記憶されるサーバ（１０４）が前記多機能周辺機器（１０２）と通信することを特徴とする実施態様４記載のシステム。
【００３６】
〔実施態様８〕生物測定学的鍵（５０６）のための多機能周辺機器ベースの記憶手段（５１０）を設けたことを特徴とする実施態様４記載のシステム。
【００３７】
〔実施態様９〕前記ユーザの指（４００）の検出に応答して前記多機能周辺機器（１０２）の前記スキャナ部分を起動するところの、前記指収容領域（２００）に隣接するセンサスイッチを設けたことを特徴とする実施態様４記載のシステム。
【００３８】
〔実施態様１０〕１つまたは複数のプロセッサによって実行される場合に、前記１つまたは複数のプロセッサに以下の(a)から(c)の動作を起させるプロセッサ可読命令を有するプロセッサ可読媒体：
(a) 多機能周辺機器（１０２）のスキャナ部分のカバー（２０２）内に画定される指収容領域（２００）内に収容されたユーザの指（４００）をスキャンすることにより生物測定学的画像（５０４）を取得する（６０４）、
(b) 前記生物測定学的画像（５０４）を生物測定学的鍵（５０６）と照合する（６１０）、
(c) 前記生物測定学的画像（５０４）と前記生物測定学的鍵（５０６）との一致に基づいて前記多機能周辺機器（１０２）の前記ユーザを認証する（６１２）。
【００３９】
〔実施態様１１〕前記指収容領域（２００）は指穴であることを特徴とする実施態様１から３の何れかの方法。
【００４０】
〔実施態様１２〕前記指収容領域（２００）は指穴であることを特徴とする実施態様４からの何れか９のシステム。
【００４１】
〔実施態様１３〕前記指収容領域（２００）は指穴であることを特徴とする実施態様１０のプロセッサ可読記録媒体。
【００４２】
本発明を、構造的特徴及び／または方法論的ステップに特有の術語で説明したが、特許請求の範囲で定義される発明は、上で説明した特定の特徴またはステップに必ずしも限定されない、ということを理解しなければならない。上で行った説明は、むしろ、特定の特徴及びステップを、特許請求の範囲の発明を実現する好ましい形態として開示している。
【図面の簡単な説明】
【図１】ＭＦＰが利用可能である例示的なネットワークを示す図。
【図２】多機能周辺機器（ＭＦＰ）ユーザを生物測定学的に認証する装置の一態様の平面図であり、ユーザの指紋のコピーを取得することができる手段を可能にする隆起した指穴を含む、ＭＦＰの上面を示す。
【図３】図２のＭＦＰの垂直図であり、ＭＦＰのフラットベッドスキャナ部分の蓋が、スキャンするドキュメントを受入れるように上昇位置にある状態を示す。
【図４】図２のＭＦＰの断面図であり、指穴内に挿入されたユーザの指をさらに示し、確認された環境下で、権限のあるユーザから取得された生物測定学的鍵と照合するためのデータを取得するスキャン機構を示す。
【図５】ＭＦＰユーザを生物測定学的に認証するための本方法と装置とに関連する例示的なソフトウェアとデータファイル構造との関係を示すブロック図である。
【図６】ＭＦＰユーザを生物測定学的に認証するための方法と装置の動作フォーマットを示すフローチャートである。
【符号の説明】
１００：ネットワーク環境
１０２：多機能周辺機器（ＭＦＰ）
１０４：サーバ
１０６：ワークステーション
１０８：ネットワーク
２００：指穴
２０２：ヒンジ式蓋
５００：ソフトウェア構造
５０２：データ収集モジュール
５０４：生物測定学的画像
５０６：生物測定学的鍵
５０８：ユーザ名
５１０：ＭＦＰベース生物測定学的鍵データ記憶装置
５１２：サーバベース生物測定学的鍵データ記憶装置
５１４：分散生物測定学的鍵データ記憶装置
５１６：暗号化アプリケーション５１６
５１８：暗号化鍵
５２０：暗号化アプリケーション
５２２：暗号化アプリケーション
５２４：データ評価モジュール
５２６：認証モジュール
【図１】
0004180313.tif 000002
【図２】
0004180313.tif 000003
【図３】
0004180313.tif 000004
【図４】
0004180313.tif 000005
【図５】
0004180313.tif 000006
【図６】
0004180313.tif 000007